(57)【要約】【課題】  電子ビューファインダの回転位置に因らず、固定側外装とファインダ回転部分が干渉を起こさずに回転が可能であり、簡素な構成で、外観品位を損なわない電子ビューファインダを有する撮影装置を提供する。【解決手段】  上記目的を達成するために、本発明に係る撮像装置１は、表示ユニット４６と複数のレンズを保持するファインダ固定筒４５を有するファインダ回動部４１と、ファインダ回動部４１の外観面を覆うファインダトップカバー３１があり、ファインダトップカバー３１はファインダ回動部４１に対して移動可能に保持されており、ファインダ回動部４１の回転位置に応じて移動する、ことを特徴とする電子ビューファインダ２０を有した。【選択図】  図１０
2020134564.tif 000002
【特許請求の範囲】
【請求項１】
電子ビューファインダユニットを有する撮像装置であって、
前記電子ビューファインダユニットは、電子表示ユニットと、接眼部と、前記電子表示ユニットから発光した光束を前記接眼部に導光するレンズを保持するレンズホルダと、を有する回動手段と、前記回動手段を保持する保持カバーと、前記回動手段の上面を覆う外装カバーと、を備え、
前記回動手段は、突出状態において、前記保持カバーに保持された回動軸を中心として回動可能であり、
前記外装カバーは、前記回動手段に対して移動可能に保持されており、前記回動手段の回転角度に応じて移動することを特徴とする撮像装置。
【請求項２】
前記電子ビューファインダユニットは、前記撮像装置の本体部に対して収納される収納状態と前記本体部に対して突出する突出状態とに可動可能であり、
前記電子ビューファインダユニットは、突出状態において回動可能に保持され、収納状態において回動できないように保持されている請求項１に記載の撮像装置。
【請求項３】
前記外装カバーは、前記回動手段の回転軸より前記接眼部側に前記回動手段に対して回転可能に軸支されている請求項１又は２に記載の撮像装置。
【請求項４】
前記外装カバーは、付勢手段で前記保持カバー側に付勢されている請求項１乃至３の何れか一項に記載の撮像装置。
【請求項５】
前記外装カバーは、収納状態において、前記撮像装置の上面カバーに当接する請求項１乃至４の何れか一項に撮像装置。
【請求項６】
前記電子ビューファインダユニットは、前記表示ユニットに接続されているフレキシブル基板を備え、
前記フレキシブル基板は、前記表示ユニットとの接続部から前記回転軸に向かい延伸している請求項１乃至５の何れか一項に撮像装置。
【請求項７】
前記外装カバーは、前記回動手段の回転を行っている間、前記電子表示ユニット、前記フレキシブル基板、前記回転軸を覆い続ける請求項６に記載の撮像装置。
【請求項８】
前記回動手段の回転に連動して移動する前記外装カバーの回転軸の回転方向は、前記回動手段の回転軸の回転方向と反対方向である請求項６又は７に記載の撮像装置。
【発明の詳細な説明】
【技術分野】
【０００１】
本発明は、電子ビューファインダを備えた撮像装置、に関するものである。特に、テジタルスチルカメラ、デジタルビデオカメラに適用される。
【背景技術】
【０００２】
従来、電子ビューファインダ（以降ファインダ）を備えたカメラにおいては、カメラ本体に対してファインダを回動可能とし、撮影者の撮影姿勢自由度を拡大したものが知られている。
【０００３】
特許文献１には、回転機構を用いてファインダを回動可能に備えた撮像装置が開示されている。
【０００４】
特許文献１に記載の構成において、ファインダが回転軸中心に回転する時、ファインダ回転位置に応じてファインダの回転軸を有するスライド枠体をカム移動させて、ファインダ側の外装部材とカメラ本体側の外装部材の隙間を狭めていた。
【先行技術文献】
【特許文献】
【０００５】
【特許文献１】特開２０１７−０２１３０３号公報
【発明の概要】
【発明が解決しようとする課題】
【０００６】
しかしながら、特許文献１に記載の構成では、ファインダとファインダ外装部材が一体である。
【０００７】
ファインダ外装部材を干渉させないために、ファインダ外装部材と固定側外装部材の間に一定の隙間を常に設けておく必要があった。
【０００８】
さらに上記隙間の外観品位を改善させるために、ファインダ回転位置に応じて、ファインダの回転軸を有するスライド枠体をカム移動させるメカ構成によって、隙間の幅を変えていた。
【０００９】
ファインダ回転軸を移動させる機構のため大型化、コストアップを招いていた。
【００１０】
上記問題に鑑みて本発明では、ファインダの回転位置に因らず固定側外装とファインダ回転部分が干渉を起こさずに回転が可能であり、簡素な構成で、外観品位を損なわないファインダを提供することを目的とする。
【課題を解決するための手段】
【００１１】
上記目的を達成するために、本発明に係る電子ビューファインダユニットを有する撮像装置は、前記電子ビューファインダユニットは、電子表示ユニットと、接眼部と、前記電子表示ユニットから発光した光束を前記接眼部に導光するレンズを保持するレンズホルダと、を有する回動手段と、前記回動手段を保持する保持カバーと、前記回動手段の上面を覆う外装カバーと、を備え、
前記回動手段は、突出状態において、前記保持カバーに保持された回動軸を中心として回動可能であり、
前記外装カバーは、前記回動手段に対して移動可能に保持されており、前記回動手段の回転角度に応じて移動することを特徴とする。
【発明の効果】
【００１２】
本発明によれば、回転手段の回転位置に因らず固定側の外装カバーと電子ビューファインダの回転部分が干渉を起こさずに回転が可能となる。
【００１３】
よって、簡素な構成で、外観品位を損なわない電子ビューファインダを有した撮像装置を提供することが可能となる。
【図面の簡単な説明】
【００１４】
【図１】本発明の実施形態に係る撮像装置１の斜視図である。
【図２】ファインダ２０を突出させた撮像装置１の斜視図である。
【図３】スライド抑制機構に関して説明する図である。
【図４】ファインダ２０の構成について説明する展開斜視図である。
【図５】ファインダカバー４９とファインダ回動動作の説明図である。
【図６】ファインダ回動部４１の説明図である。
【図７】検出センサ７１と検出センサフレキシブル基板７２の説明図である。
【図８】ファインダユニット２１上端部の分解図である。
【図９】ファインダユニット２１がカメラ本体から突出し接眼部２８が引き出された状態を示した図である。
【図１０】ファインダユニット２１がカメラ本体から突出し、接眼部２８が引き出され、ファインダ回動部４１が回動した状態を示した図である。
【図１１】ファインダユニット２１がカメラ本体に収納された状態を示した図である。
【図１２】ファインダユニット２１がカメラ本体から突出し接眼部２８が引き出された状態から、ファインダ回動部４１が回動していく状態遷移図である。
【発明を実施するための形態】
【００１５】
以下、本発明の実施例について、図面を参照しながら詳細に説明する。各図において、同一の部材については同一の参照番号を付し、重複する説明は省略する。
【００１６】
図１を参照して、本発明の実施形態に係る撮像装置の一例である撮像装置１の構成について説明する。
【００１７】
図１は撮像装置１の斜視図である。図１（ａ）および図１（ｂ）はそれぞれ、撮像装置１の正面斜視図および背面斜視図である。
【００１８】
撮像装置１は、撮像レンズ（不図示）を備える鏡筒ユニット２および、撮像レンズを介して結像された被写体の光学像を光電変換して画像データを生成する撮像素子（不図示）を備える。
【００１９】
レンズ鏡筒ユニット２は、沈胴式で、収納時は撮像装置１の内部に沈胴する。
【００２０】
また、撮像装置１には、撮像素子で生成された画像データをデジタル情報に変換する処理回路を載せた主基板（不図示）や補助基板（不図示）等で構成されている。
【００２１】
レリーズボタン４は、全押し操作されると、撮影され、記録媒体（不図示）に被写体像の画像データが記録される。
【００２２】
ズームレバー５は、レリーズボタン４の外周に回動可能に保持されている。ズームレバー５が回動操作されると、ズーム動作が行われる。
【００２３】
電源ボタン６は、撮影者によって押下されオン状態、またはオフ状態に切り替えられる。
【００２４】
表示装置１５は撮像装置１の背面に設けられ、撮影する被写体像の確認や、撮像画像の再生表示のために用いられる。
【００２５】
撮像装置１は、フロントカバー９、リアカバー１０、トップカバー１６の外装部材で覆われている。
【００２６】
トップカバー１６は撮像装置１の上部の外観面を形成するとともに、ファインダ２０の開口部を形成している。
【００２７】
ファインダ２０は、撮像装置１に内蔵されており、収納時は、ロック機構によって撮像装置１の内部に保持された状態でロックされている。
【００２８】
撮像装置１の側面には、外観面の一部を形成しているサイドカバー１３が構成される。
【００２９】
サイドカバー１３には、解除レバー１４がスライド操作可能に保持されており、解除レバー１４を操作することによって、ファインダ２０のロックを解除して撮像装置１の上方へと突出動作を行う。
【００３０】
次に、図２を参照して、図１に示されている本発明のファインダ２０の動作について説明する。図２は、ファインダ２０を突出させた撮像装置の背面斜視図である。
【００３１】
図２（ａ）は、前述の撮像装置１の側面に配置された解除レバー１４を操作することによって、ファインダ２０が撮像装置１に収納状態から上方へと突出した状態を示している。
【００３２】
接眼部２８は接眼窓２２が固定されている。センサ窓２３は、接眼窓２２の上側に設けられている。
【００３３】
センサ窓２３は、内部のセンサ、例えば光学式検知センサの光路のために設けられている。使用者が接眼部２８をのぞいたことを内部の光学式センサが検知して、ファインダ２０への表示に切り替える。
【００３４】
図２（ｂ）は、図２（ａ）のファインダ２０の突出状態から、ファインダ２０の接眼部２８を、撮像装置１の背面側へと引き出した状態を示す。
【００３５】
ファインダ２０は接眼部２８を手前へと引き出した状態において使用可能となり、接眼部２８から、撮影する被写体像の確認や撮影画像の再生表示などを確認することを可能とする。
【００３６】
さらに、図２（ｃ）は、図２（ｂ）のファインダ２０の使用可能な状態において、接眼部２８を含むファインダ回動部４１が回動した状態を示す。
【００３７】
ファインダ回動部４１は、接眼部２８がトップカバー１６と平行な位置まで約９０°回動する。
【００３８】
よって、撮影者は、カメラ上面側から撮影する被写体像の確認や撮影画像の再生表示などを確認することも可能となる。
【００３９】
また、図３を参照して、突出状態後の収納状態側へのスライド抑制機構に関して説明する。
【００４０】
図３（ａ）、（ｂ）は収納状態と突出状態、更に（ｃ）、（ｄ）は接眼部２８が引き出された状態とファインダ回動部４１が回動した状態を示している。
【００４１】
図３（ａ）（ｂ）に示すようにファインダユニット２１は、スライドストッパー３９を含み、収納状態と突出状態の上下方向スライド動作を一体的に行う。また、外装の一部であるリアカバー１０には、外装係止部１０ａを有している。
【００４２】
次に図３（ｃ）のようにスライドストッパー３９は、接眼部２８を矢印方向に引き出すと連動して引き出され、外装係止部１０ａの上で当接する。
【００４３】
これにより、ファインダユニット２１には、収納状態側へのスライド抑制が働く。またスライドストッパー３９は、不図示のバネで矢印方向へ常に付勢されている。
【００４４】
その為、図３（ｄ）に示すようにファインダ回動部４１が回動してもスライドストッパー３９は、外装係止部１０ａの上で当接した状態を維持する。
【００４５】
その結果、ファインダユニット２１は、接眼部２８が引き出された状態で、収納状態側へのスライド抑制が働き続ける。
【００４６】
このように、ファインダユニット２１は、突出状態後に接眼部２８を引き出すことで、それ以降にファインダユニット２１が収納状態方向へ移動することが抑制される。
【００４７】
よって、ファインダユニット２１は、カメラ使用時に不用意に下がってしまいファインダ表示画像を視認できなくなるといった不具合がなくなる。
【００４８】
尚、収納状態への推移は先程とは逆に図（ｄ）→（ｃ）→（ｂ）→（ａ）の動作により、スライドストッパー３９は、外装係止部１０ａより抑制が解除され、ファインダユニット２１は、撮像装置１に収納される。
【００４９】
電子ビューファインダユニット２１は、電子表示ユニット４６と、接眼部２８と、電子表示ユニット４６から発光した光束を接眼部に導光するレンズを保持するレンズホルダ４２と、を有する回動手段４１を備えている。
【００５０】
更に、電子ビューファインダユニット２１は、回動手段を保持する保持カバー４９と、回動手段４１の上面を覆う外装カバー３１と、を備えている。
【００５１】
回動手段４１は、突出状態において、保持カバー４９に保持された回動軸５０を中心として回動可能である。
【００５２】
外装カバー３１は、回動手段４１に対して移動可能に保持されており、回動手段４１の回転角度に応じて移動する。
【００５３】
次に、図４を参照して、ファインダ２０の構成について説明する。図４は、ファインダ２０の展開斜視図である。
【００５４】
図４（ａ）に示されるように、ファインダ２０は、ファインダユニット２１と、収納と突出の状態を切り替える、上下動機構部５１からなる。
【００５５】
図４（ａ）は、ファインダ２０を構成する上下動機構部５１を説明する展開斜視図である。
【００５６】
ベースプレート３２は、金属板で形成され、金属材料で形成されるガイドバー３３が２本、加締められている。
【００５７】
また、ベースプレート３２には、係止ピン３２ａが形成されている。ガイドバー３３は、一部径方向へと大きくなるようにフランジ形状部３３ａが形成される。
【００５８】
ＥＶＦホルダ３０は樹脂材料によって形成され、前述のベースプレート３２に加締められた２本のガイドバー３３が挿通されて、上下にスライド移動可能に保持している。
【００５９】
この際、ガイドバー３３のフランジ形状部３３ａがＥＶＦホルダ３０に対して当接することで突出時のスライド位置が決まる。
【００６０】
ＥＶＦホルダ３０は図１に示されるフロントカバー９に対して位置決め固定される。突出バネ３８はＥＶＦホルダ３０内部に収納されて、ガイドバー３３を上方へと付勢している。
【００６１】
バネホルダ３５は板金材料によって形成されており、突出バネ３８の端部を抑えるようにＥＶＦホルダ３０へと固定される。
【００６２】
ロックレバー３６は加締めピン３７によってバネホルダ３５に対して回動可能に保持されており、係止爪部３６ａを備える。
【００６３】
付勢バネ３４は一端をロックレバー３６に係止され、他端をバネホルダ３５に係止されて保持されており、ロックレバー３６を一方向へと付勢している状態で構成される。
【００６４】
ロックレバー３６は図１に記載の解除レバー１４を操作することで、加締めピン３７を中心に回動動作を行うように構成される。
【００６５】
ファインダ２０は、収納時にはロックレバー３６の係止爪部３６ａによってベースプレート３２の係止ピン３２ａが係止されることによって、収納状態で保持されている。
【００６６】
ファインダ２０使用時には解除レバー１４を操作することで、ロックレバー３６が回動して係止ピン３２ａの係止を解除することで、突出動作を行う。
【００６７】
次に、ファインダユニット２１の構成について説明する。
【００６８】
図４（ｂ）はファインダユニット２１の展開斜視図である。ファインダユニット２１には、トップカバー１６とともに上面の外観面を形成するファインダトップカバー３１が設けられている。
【００６９】
また、突出状態において、可動方向に平行な２面となる側面４９ａを有するファインダカバー４９（保持カバー）を備える。
【００７０】
ファインダユニット２１を構成するファインダ回動部４１は、光学レンズを保持するレンズホルダ４２、レンズホルダ４２を直動可能に保持するファインダ案内筒４３を備えている。
【００７１】
ファインダ案内筒４３のフランジ部４３ａには、ファインダ案内筒４３を直動可能にガイドするガイドシャフト４４が貫通している。
【００７２】
ガイドシャフト４４の一端は、ファインダ固定筒４５に固定されている。接眼部２８は、ファインダ案内筒４３の側面に設けられた係止爪４３ｃによってファインダ案内筒４３に係止される。
【００７３】
接眼部２８は、手前へと引き出すことで、ガイドシャフト４４に軸支されたファインダ案内筒４３が内部のレンズホルダ４２と一体で並進移動し使用可能な状態となる。
【００７４】
ファインダ案内筒４３のフランジ部４３ａの外周にはシール部材４３ｂを設けている。
【００７５】
シール部材４３ｂは、ファインダ固定筒４５とファインダ案内筒４３の間を密閉し、防塵構造を構成している。表示ユニットホルダ４７は、表示ユニット４６を保持している。
【００７６】
表示ユニットホルダ４７の側面には係止爪４７ａが設けられており、ファインダ固定筒４５側の係止部４５ｆによって一体となっている。
【００７７】
表示パネル付勢板４８は腕部４８ａがファインダ固定筒４５に固定され、表示ユニット４６を表示ユニットホルダ４７側に付勢している。
【００７８】
腕部４８ａの先端４８ｂは、接眼部２８を手前へと引き出す際に一体で動作するファインダ案内筒４３に対してクリック部を兼ねている。
【００７９】
ファインダユニット２１の下部で収納と突出の上下動機構部５１の間には基板ベース６０が設けられている。
【００８０】
基板ベース６０は、ファインダカバー４９とともにベースプレート３２に対して複数の締結ビスによって固定される。
【００８１】
ファインダ基板２４は、基板ベース６０に固定されている。
【００８２】
ファインダ基板２４は、撮像装置１内部の主基板（不図示）からの画像信号を伝達するためのフレキシブル基板（不図示）が接続され、さらに表示ユニット４６に接続されるフレキシブル基板６１によって信号を伝達する。
【００８３】
フレキシブル基板カバー６２は基板ベース６０に固定されている。
【００８４】
次に図５を参照して、ファインダカバー４９とファインダ回動動作について説明する。
【００８５】
図５はファインダカバー４９とファインダ固定筒４５の関係を示す図である。ファインダユニット回転軸５０はファインダカバー４９を構成する側面４９ａに設けられた穴部４９ｃで保持されている。
【００８６】
ファインダユニット回転軸５０は、剛性を有するファインダカバー４９に結合することで回転軸として強度を確保可能となる。
【００８７】
ファインダ固定筒４５は、ファインダユニット回転軸５０の一部が軸穴部４５ｂと回動可能に嵌合している。
【００８８】
よって、ファインダ固定筒４５はファインダカバー４９に対し回動可能となる。また、ファインダカバー４９には回動ストッパー部４９ｄが設けられている。
【００８９】
ファインダ固定筒４５は、約９０°回動すると当接部４５ｄが回動ストッパー部４９ｄに当接する構成となっている。
【００９０】
ファインダ回動部４１は、ファインダレンズの光軸が撮影レンズの光軸と略平行である０°から９０°の間で回動可能となる。
【００９１】
本実施例においてファインダユニット回転軸５０は２本の部材に分割されているが、１本の構成でも良い。
【００９２】
ファインダカバー４９とファインダ固定筒４５に設けられている軸穴部４５ｂの間は、摩擦を付与する摩擦部材（不図示）が挟持される。
【００９３】
摩擦部材は、例えば、皿ばねやＯリングなどであり、摩擦部材が与える摩擦力によって回動動作を任意の位置で停止させることを可能とする。
【００９４】
ファインダカバー４９は平行な２面である側面４９ａと側面４９ａをつなぐ被写体側の面４９ｂで構成され、収納状態と突出状態との可動方向Ｖと直交する断面Ｆにおいて、略コの字型となっている。
【００９５】
ファインダカバー４９を構成する平行な２面の側面４９ａには両側ともに、穴部４９ｃが設けられている。ファインダカバー４９に設けられた穴部４９ｃは、撮像装置１において接眼窓２２の反対側でかつファインダユニット２１の上側である。
【００９６】
よって、ファインダユニット２１の回動動作において、ファインダ回動部４１は撮像装置１のトップカバー１６やフロントカバー９などの外装部材から遠ざかるように動作するので、回動動作に伴う撮像装置１との干渉部が発生しない。
【００９７】
そのため、ファインダカバー４９（保持カバー）は、収納状態と突出状態との可動方向の断面で略コの字型となっており、回動動作に必要な強度確保が可能となる。
【００９８】
電子ビューファインダユニット２１は、撮像装置の本体部に対して収納される収納状態と本体部に対して突出する突出状態とに可動可能である。
【００９９】
電子ビューファインダユニット２１は、突出状態において回動可能に保持され、収納状態において回動できないように保持されている。
【０１００】
次に図６を参照して、ファインダユニット２１を構成するファインダ回動部４１を説明する。
【０１０１】
図６（ａ）は、ファインダ回動部４１の側面から見た図である。ファインダ固定筒４５の下部には、突出状態におけるファインダ回動部４１の回動動作を規制するための係止部４５ａが設けられている。
【０１０２】
また、ファインダ固定筒４５の上部には、外観面を形成するファインダカバー４９に対し回動可能に軸支するための軸受け部４５ｅが設けられている。
【０１０３】
軸受け部４５ｅには、軸穴部４５ｂが設けられている。また、軸受け部４５ｅには、第一の当接部４５ｂａが設けられている。第一の当接部４５ｂａは、表示ユニット４６の表示面と平行な接眼部２８の面と当接している。
【０１０４】
さらに、軸受け部４５ｅには、第二の当接部４５ｂｂが設けられている。第二の当接部４５ｂｂは、ファインダレンズ光軸と平行な接眼部２８の面と当接している。
【０１０５】
軸穴部４５ｂ部には、ファインダユニット回転軸５０が嵌合されているため、剛性がある。
【０１０６】
外装カバー３１は、回動手段４１の回転軸より接眼部側に回動手段に対して回転可能に軸支されている。
【０１０７】
よって、ファインダ固定筒４５の軸受け部４５ｅに、第一の当接部４５ｂａと第二の当接部４５ｂｂを設けることで、接眼部２８は、収納する際の突き当て面や摺動面などがファインダ固定筒４５の剛性を有する部分に設けられることとなる。
【０１０８】
よって、接眼部２８の操作における信頼性を向上させることが可能となる。
【０１０９】
図６（ｂ）は図４に示されるファインダユニット２１の断面図である。
【０１１０】
ファインダユニット回転軸５０は、表示ユニット４６の厚み方向における投影内に配置されている。
【０１１１】
ファインダユニット回転軸５０は、ファインダ案内筒４３のフランジ部４３ａとファインダ固定筒４５の防塵構造部に影響することがない。よって、ファインダユニット２１の内部レイアウトを省スペースで構成することが可能となる。
【０１１２】
フレキシブル基板６１の一端は、ファインダユニット回転軸５０側において表示ユニット４６に接続されている。
【０１１３】
フレキシブル基板６１は、ファインダユニット回転軸５０の略同一中心とするＲ部６１ａを形成し、フレキシブル基板カバー６２とファインダカバー４９の間隙を通過するよう配置される。
【０１１４】
図６（ｃ）は、ファインダユニット２１のファインダレンズ光軸と直交する断面である。
【０１１５】
係止部材６３は付勢ばね６４によって基板ベース６０に摺動可能に取り付けられている。
【０１１６】
ファインダ固定筒４５の下部に設けられた係止部４５ａは係止部材６３によって回動動作を規制されている。
【０１１７】
係止部材６３は、ファインダ回動部４１の回転動作時に付勢ばね６４に抗して退避し係止部４５ａが乗り越える。
【０１１８】
よって、ファインダユニット２１を構成するファインダ回動部４１は、ファインダレンズ光軸と撮像レンズ（不図示）と平行な状態において係止される。
【０１１９】
次に図７を参照して、ファインダ回動部４１内部における検出センサ７１と検出センサフレキシブル基板７２のレイアウトを説明する。
【０１２０】
図６、図７（ｂ）に示されているように、センサ窓２３は接眼部２８を構成する接眼窓２２の上部に設けられている。
【０１２１】
内部の検出センサ７１は、例えば近接センサなどを用いて、使用者が接眼部２８をのぞいたことを検知して、ファインダ２０への表示に切り替える。
【０１２２】
よって、検出センサ７１とセンサ窓２３を接眼窓２２の上部に設けることで、ファインダ回動部４１が回動した範囲内において、検出センサ７１は使用者が接眼部２８をのぞいたことを検知することが可能となる。
【０１２３】
図７（ａ）に示されるように、検出センサ７１は、検出センサフレキシブル基板７２に周辺回路部品とともに実装されている。
【０１２４】
検出センサフレキシブル基板７２の検出センサ７１を実装している実装部７２ａはセンサ窓２３と不図示の固定部によって一体となっている。
【０１２５】
図７（ｂ）、および図７（ｃ）は検出センサフレキシブル基板７２の構成と配置を説明する図である。
【０１２６】
実装部７２ａから延伸する第１の可動余長部７２ｃは、ファインダトップカバー３１とファインダ固定筒４５の間に収容されている。
【０１２７】
また、第１の可動余長部７２ｃは、接眼部２８の方向から見て、実装部７２ａの幅Ｗの中に配置されている。
【０１２８】
第１の可動余長部７２ｃは、接眼部２８が手前へと引き出され並進移動する際に可動する。
【０１２９】
よって、可動余長部７２ｃは、ファインダ回動部４１の可動部を構成するファインダユニット回転軸５０の配置や、回動動作を阻害することなく配置可能となる。
【０１３０】
よって、図７（ｂ）に示すようにセンサ窓２３は、接眼部２８を構成する接眼窓２２の上部に設けることで、結果として検出センサフレキシブル基板７２を省スペースに配置可能となる。
【０１３１】
検出センサフレキシブル基板７２の第１の可動余長部７２ｃより先の延伸部７２ｄは、表示ユニット４６に接続されるフレキシブル基板６１と隣接し、かつ、フレキシブル基板カバー６２とファインダカバー４９の間隙を通過するよう配置される。
【０１３２】
よって、検出センサフレキシブル基板７２はファインダ回動部４１の回動動作を妨げることなく、ファインダユニット回転軸５０の構成を阻害することなく、接眼部２８の並進移動も可能とする。
【０１３３】
検出センサフレキシブル基板７２の延伸部７２ｄは、ファインダ回動部４１が回動しても外側に露出することはなく、保護されているため信頼性を向上させることを可能とする。
【０１３４】
以上、本発明の好ましい実施形態について説明したが、本発明はこれらの実施形態に限定されず、その要旨の範囲内で種々の変形および変更が可能である。
【０１３５】
次に図８を用いて、ファインダユニット２１上端部の構成を説明する。
【０１３６】
図８は、ファインダユニット２１上端部の分解図である。
【０１３７】
図８（ａ）（ｂ）において、ファインダユニット２１の外観側の上面はファインダトップカバー３１のカバー部３１ａで覆われる。
【０１３８】
ファインダ固定筒４５には、ファインダ固定筒４５と一体である不図示の軸を通して支持された付勢手段であるところのトーションバネ７０が具備されている。
【０１３９】
トーションバネ７０の端部７０ａはファインダ固定筒４５の穴４５ｙに差し込まれ支持されている。
【０１４０】
トーションバネ７０の他方の端部７０ｂは、カバー部３１ａ内面に設けられた穴３１ｂに差し込まれ、トーションバネ７０の端部７０ａと端部７０ｂが閉じようとする付勢力を用いて、ファインダトップカバー３１をファインダカバー４９側に当接させる。
【０１４１】
より詳しくは、カバー部３１ａ内面には複数のリブ３１ｄが設けられており、複数のリブ３１ｄがファインダカバー被写体側の面４９ｂの上部端面４９ｅに接触することになる。
【０１４２】
ファインダトップカバー３１には、ファインダユニット回転軸５０とは同軸ではない軸位置にファインダトップカバー回転軸７４が圧入される穴３１ｃが２か所同軸位置で設けられている。
【０１４３】
ファインダ固定筒４５には、ファインダトップカバー回転軸７４を支持する溝部４５ｚが、穴３１ｃに対向する位置に２か所設けられている。
【０１４４】
すなわちファインダトップカバー３１の回転軸位置は、固定側のファインダカバー４９側でなく、回動するファインダユニット側に設けられている。
【０１４５】
トーションバネ端部７０ｂが穴３１ｂに挿入されてファインダトップカバー３１がファインダカバー４９側に引き込まれる。
【０１４６】
その後、ファインダトップカバー回転軸７４が各々穴３１ｃに圧入され、ファインダトップカバー回転軸７４先端が溝部４５ｚに挿入される。
【０１４７】
本実施例では、ファインダトップカバー３１（外装カバー）をファインダカバー上部端面４９ｅに付勢する手段としてトーションバネ７０を用いたが、引っ張りバネやゴム等他の弾性部材を用いても構わない。
【０１４８】
さらに、ファインダトップカバー回転軸７４の固定は圧入であっても接着であっても、さらにはファインダトップカバー３１に一体で設けられた軸であっても、ファインダトップカバー３１を回転可能にファインダ固定筒４５に支持する機構であれば問わない。
【０１４９】
また、本実施例では、ファインダトップカバー３１の回転軸７４をファインダ固定筒４５に支持させる例を開示したが、接眼部２８などファインダが回動する部分であれば構わない。
【０１５０】
外装カバー３１は、回動手段４１の回転軸５０より接眼部２８側に回動手段４１に対して回転可能に軸支されている。
【０１５１】
外装カバー３１は、付勢手段７０で保持カバー側４９に付勢されている。
【０１５２】
外装カバー３１は、収納状態において、撮像装置１の上面カバー１６に当接する。
【０１５３】
電子ビューファインダユニット２１は、表示ユニット４６に接続されているフレキシブル基板６１を備えている。
【０１５４】
フレキシブル基板６１は、表示ユニット４６との接続部から回転軸５０に向かい延伸している。
【０１５５】
外装カバー３１は、回動手段４１の回転を行っている間、記電子表示ユニット４６、フレキシブル基板６１、回転軸５０を覆い続ける。
【０１５６】
図９、図１０、図１１を用いて、ファインダトップカバー３１の動作説明を行う。
【０１５７】
図９は、ファインダユニット２１がカメラ本体から突出し接眼部２８が引き出された状態を示した図である。
【０１５８】
図９（ａ）はファインダユニット２１の斜視図であり、図９（ｂ）はファインダユニット２１の一部断面図である。
【０１５９】
図９（ｂ）において、ファインダトップカバー３１は、ファインダ固定筒４５に具備された軸７３に支持されたトーションバネ７０によりファインダトップカバー回転軸７４を中心に紙面右回転方向に付勢され、ファインダカバー上部端面４９ｅに当接している。
【０１６０】
ファインダトップカバー３１は、ファインダカバー被写体側の面４９ｂと共に、ファインダユニット２１の接眼部２８と反対側に設けられた表示ユニット４６、表示ユニット４６から伸びたフレキシブル基板６１、ファインダユニット回転軸５０などを覆っている。
【０１６１】
図１０は、ファインダユニット２１がカメラ本体から突出し、接眼部２８が引き出され、ファインダ回動部４１が回動した状態を示した図である。
【０１６２】
図１０（ａ）はファインダユニット２１の斜視図であり、図１０（ｂ）はファインダユニット２１の一部断面図である。
【０１６３】
図１０（ｂ）において、ファインダ回動部４１は図９（ｂ）の状態からファインダユニット回転軸５０中心に紙面右回転に回動している。
【０１６４】
ファインダトップカバー３１は、ファインダカバー４９の上部端面４９ｅに当接したまま、ファインダ固定筒４５に対してファインダトップカバー回転軸７４中心に紙面左回転方向に回転して開く。
【０１６５】
図９から図１０の状態まで常に、ファインダトップカバー３１は、ファインダ回動部４１が回動位置に応じてファインダカバー４９の上部端面４９ｅを覆い続ける。
【０１６６】
前述したように、ファインダカバー４９とファインダ固定筒４５間には不図示の前記摩擦部材があり、ファインダユニット回転軸５０中心に所定の摩擦力でファインダ回動部４１がファインダカバー４９に保持される。
【０１６７】
トーションバネ７０によって発生するファインダ回動部４１をファインダユニット回転軸５０中心に紙面左回転させようとする回転トルクは、前記所定の摩擦力による摩擦トルクより小さく、ファインダ回動部４１は所望の回転位置で保持出来る。
【０１６８】
本実施例とは異なり、仮にファインダトップカバー３１がファインダ回動部４１と一体である場合は、図９（ｂ）に示したＺ領域に、回動するファインダ回動部４１とファインダトップカバー３１が侵入し、フレキシブル基板６１などの配置が出来なくなる。
【０１６９】
さらにファインダトップカバー３１がファインダカバー被写体側の面４９ｂに侵入する。
【０１７０】
そのため、ファインダカバー被写体側の面４９ｂにファインダトップカバー３１を逃げる切欠部を設けなければならず、ファインダカバー４９の強度低下や外観品位の低下を招く。
【０１７１】
本実施例は、ファインダカバー４９に対して回動するファインダ回動部４１の上面に、ファインダ回動部４１に対して移動可能なファインダトップカバー３１を設けていることが特徴である。
【０１７２】
ファインダトップカバー３１が、ファインダ回動部４１の回転量（回転角度）に合わせて、ファインダトップカバー回転軸７４中心にトーションバネ７０でファインダカバー４９の上部端面４９ｅに付勢され滑りながら回転する。
【０１７３】
ファインダトップカバー３１は、ファインダ回動部４１の回転位置（回転角度）に応じてファインダカバー４９上部端部４９ｅを移動し、ファインダカバー４９内部に侵入しない。
【０１７４】
よって、ファインダカバー４９内にフレキシブル基板６１などの部品配置が可能となる。
【０１７５】
さらにファインダカバー４９の被写体側の面４９ｂに、回転してくるファインダトップカバー３１を逃げる切欠部を設ける必要がないので、ファインダカバー４９の強度も強く外観品位を損なわない。
【０１７６】
図１１はファインダユニット２１がカメラ本体に収納された状態を示した図である。図１１（ａ）はリブ１６ａを分かり易くするために、仮にカメラ本体からファインダユニット２１を取り除いた斜視図である。
【０１７７】
トップカバー１６のファインダユニット２１の移動する開口部入り口には、左右にリブ１６ａが設けられている。
【０１７８】
図１１（ｂ）はカメラ本体に収納されたファインダユニット２１の斜視図である。図１１（ｃ）は図１１（ｂ）中のＣ−Ｃ断面、図１１（ｄ）は図１１（ｂ）中のｄ−ｄ断面である。
【０１７９】
図１１（ｃ）、図１１（ｄ）において、ファインダトップカバー３１はファインダユニット２１収納位置でトップカバー１６のリブ１６ａに当接し支持されている。
【０１８０】
ファインダユニット２１がカメラ本体１に収納された時に、ファインダトップカバー３１をリブ１６ａに当接させることで、ファインダユニット２１ががたついたり、トップカバー１６に対して突出したり凹んだりした状態になることを防いでいる。
【０１８１】
図１２はファインダユニット２１がカメラ本体から突出し接眼部２８が引き出された状態から、ファインダ回動部４１が回動していく状態遷移図である。
【０１８２】
図１２（ａ）は、図９と同じファインダユニット２１がカメラ本体から突出し接眼部２８が引き出された状態である。
【０１８３】
ファインダ回動部４１の接眼部２８は、図中水平Ｈ方向に引き出されており、ファインダ回転軸５０に対してファインダ回動部４１は回動していない。
【０１８４】
ファインダトップカバー３１もまた、ファインダ回動部４１に対して、水平方向Ｈと並行なＨ１方向に沿うように閉じられたままで、ファインダトップカバー回転軸７４中心に対して回転していない。
【０１８５】
図１２（ｂ）は、ファインダ回動部４１がファインダ回転軸５０に対して初期位置時１２（ａ）からα１度回動した状態を示した図である。
【０１８６】
ファインダ回動部４１は、引き出し水平方向Ｈからファインダ回転軸５０を中心に図右回転に角度α１度回動してＶ１方向を向いている。
【０１８７】
ファインダトップカバー３１は、ファインダ回動部４１が向いているＶ１方向と平行なＶ２方向に対して、ファインダトップカバー回転軸７４中心に回転角度β１度図左回転してＶ３方向を向いている。
【０１８８】
つまり、ファインダトップカバー３１は、ファインダ回動部４１に対してファインダトップカバー回転軸７４中心にファインダ回動部４１の回転方向とは逆方向である図左方向に開いている。
【０１８９】
図１２（ｃ）は、図１０と同じであり、ファインダユニット２１がカメラ本体から突出し、接眼部２８が引き出され、ファインダ回動部４１が最大回動位置まで回動した状態を示した図である。
【０１９０】
ファインダ回動部４１がファインダカバー４９に対してファインダ回転軸５０中心に初期位置図１２（ａ）からα２度回動した状態を示した図である。
【０１９１】
ファインダ回動部４１は、引き出し水平方向Ｈからファインダカバー４９に対してファインダ回転軸５０を中心に図右回転に角度α２度回動してＶ４方向を向いている。
【０１９２】
ファインダトップカバー３１は、ファインダ回動部４１が向いているＶ４方向と平行なＶ５方向に対して、ファインダトップカバー回転軸７４中心に回転角度β２度図左回転してＶ６方向を向いている。
【０１９３】
つまり、ファインダトップカバー３１は、ファインダ回動部４１に対してファインダトップカバー回転軸７４中心にファインダ回動部４１の回転方向とは逆方向である図左方向に開いている。
【０１９４】
回動手段４１の回転に連動して移動する外装カバー３１の回転軸７４の回転方向は、回動手段４１の回転軸５０の回転方向と反対方向である。
【０１９５】
図１２（ｂ）、１２（ｃ）で示したように、ファインダ回動軸５０中心に図右回転を行うファインダ回動部４１に対して、ファインダトップカバー３１は、ファインダ回動部４１のファインダトップカバー回転軸７４中心に図左回転を行う。
【０１９６】
ファインダ回動部４１とファインダトップカバー３１が異なる回転方向に回転することで、ファインダトップカバー３１がフレキシブル基板６１などを内包したファインダカバー４９に干渉することを防ぐことが出来ている。
【０１９７】
以上、本発明の好ましい実施形態について説明したが、本発明はこれらの実施形態に限定されず、その要旨の範囲内で種々の変形および変更が可能である。
【符号の説明】
【０１９８】
１  撮像装置
９  フロントカバー
１６  トップカバー
１４  解除レバー
２０  ファインダ
２１  ファインダユニット
２２  接眼窓
２４  ファインダ基板
２８  接眼部
３１  ファインダトップカバー
３１ａ  カバー部
３１ｂ  穴
３１ｃ  穴
３１ｄ  リブ
３９  スライドストッパー
４１  ファインダ回動部
４５  ファインダ固定筒
４５ｂ  軸穴部
４５ｙ  穴
４５ｚ  溝部
４８  表示パネル付勢板
４９  ファインダカバー
４９ｅ  上部端面
５０  ファインダユニット回転軸
５１  上下動機構部
６１  フレキシブル基板
６２  フレキシブル基板カバー
６３  係止部材
７０  トーションバネ
７０ａ，７０ｂ  端部
７１  検出センサ
７２  検出センサフレキシブル基板
７３  軸
７４  ファインダトップカバー回転軸
【図１】
2020134564.tif 000003
【図２】
2020134564.tif 000004
【図３】
2020134564.tif 000005
【図４】
2020134564.tif 000006
【図５】
2020134564.tif 000007
【図６】
2020134564.tif 000008
【図７】
2020134564.tif 000009
【図８】
2020134564.tif 000010
【図９】
2020134564.tif 000011
【図１０】
2020134564.tif 000012
【図１１】
2020134564.tif 000013
【図１２】
2020134564.tif 000014